(57)【要約】【課題】簡素なチルト機構を備えたディスク装置を提供する。【解決手段】このディスク装置では、チルト機構７は、シャーシ１に一体的に設けられ、シャフト３の周面の少なくとも一方の端部を挟むように配置されるとともに、シャフト３の端部を上下方向に移動可能に支持する一対のシャフト支持部１ｃと、シャフト３の端部の下面に当接するようにシャーシ１に取り付けられ、シャフト３の端部を上下方向に移動させるための調整ネジ８と、シャフト３の端部の上面に当接するようにシャーシ１に取り付けられ、シャフト３の端部を調整ネジ８に対して押圧するように付勢するねじりコイルバネ９と、シャーシ１に一体的に設けられ、ねじりコイルバネ９を支持するねじりコイルバネ支持部１ｄとを含む。【選択図】図１
2004288324.tif 000002
【特許請求の範囲】
【請求項１】
シャーシと、前記シャーシに取り付けられ、ディスクを回転させるためのディスクモータと、前記ディスクと所定の距離を隔てて配置され、前記ディスクの半径方向に移動される光ピックアップと、前記光ピックアップを移動可能に支持するシャフトと、前記光ピックアップの前記ディスクに対する傾き角度を調整するためのチルト機構とを備えたディスク装置において、
前記シャーシは、穴部を含み、
前記チルト機構は、
前記シャーシに一体的に設けられ、前記シャフトの周面の少なくとも一方の端部を挟むように配置されるとともに、前記シャフトの端部を上下方向に移動可能に支持する一対のシャフト支持部と、
前記シャフトの端部の下面に当接するように前記シャーシに取り付けられ、前記シャフトの端部を上下方向に移動させるための調整ネジと、
前記シャーシの穴部に挿入され、前記シャーシの穴部の幅よりも大きな幅を有するように形成された実質的にリング形状の抜け止め部を有するとともに、前記シャフトの端部の上面に当接するように前記シャーシに取り付けられ、前記シャフトの端部を前記調整ネジに対して押圧するように付勢するねじりコイルバネと、
前記シャーシに一体的に設けられ、前記ねじりコイルバネを支持するねじりコイルバネ支持部とを含む、ディスク装置。
【請求項２】
金属製のシャーシと、前記シャーシに取り付けられ、ディスクを回転させるためのディスクモータと、前記ディスクと所定の距離を隔てて配置され、前記ディスクの半径方向に移動される光ピックアップと、前記光ピックアップを移動可能に支持する金属製のシャフトと、前記光ピックアップの前記ディスクに対する傾き角度を調整するためのチルト機構とを備えたディスク装置において、
前記金属製のシャフトの端部を覆うように設けられた絶縁性を有する絶縁部材をさらに備え、
前記シャーシは、穴部を含み、
前記チルト機構は、
前記金属製のシャーシに一体的に設けられ、前記シャフトの少なくとも一方の端部の絶縁部材の周面を挟むように配置されるとともに、前記シャフトの端部を上下方向に移動可能に支持する一対の金属製のシャフト支持部と、
前記金属製のシャフトの絶縁部材の下面に当接するように前記金属製のシャーシに取り付けられ、前記シャフトの端部を上下方向に移動させるための金属製の調整ネジと、
前記シャーシの穴部に挿入され、前記シャーシの穴部の幅よりも大きな幅を有するように形成された実質的にリング形状の抜け止め部を有するとともに、前記金属製のシャフトの絶縁部材の上面に当接するように前記金属製のシャーシに取り付けられ、前記シャフトの絶縁部材を前記金属製の調整ネジに対して押圧するように付勢する金属製のねじりコイルバネと、
前記金属製のシャーシに一体的に設けられ、前記金属製のねじりコイルバネを支持するねじりコイルバネ支持部とを含む、ディスク装置。
【請求項３】
シャーシと、
光ピックアップを移動可能に支持するシャフトと、
前記光ピックアップのディスクに対する傾き角度を調整するためのチルト機構とを備え、
前記チルト機構は、
前記シャーシに一体的に設けられ、前記シャフトを上下方向に移動可能に支持するシャフト支持部と、
前記シャフトを上下方向に移動させるための調整ネジと、
前記シャフトを前記調整ネジに対して押圧するための押圧部材と、
前記シャーシに一体的に設けられ、前記押圧部材を支持する押圧部材支持部とを含む、ディスク装置。
【請求項４】
前記押圧部材は、ねじりコイルバネを含む、請求項３に記載のディスク装置。
【請求項５】
前記シャーシは、穴部を含み、
前記ねじりコイルバネは、前記シャーシの穴部に挿入され、前記シャーシの穴部の幅よりも大きな幅を有するように形成された抜け止め部を含む、請求項４に記載のディスク装置。
【請求項６】
前記シャーシ、前記シャフトおよび前記押圧部材は、金属製であり、
前記金属製のシャフトの端部を覆うように設けられた絶縁性を有する絶縁部材をさらに備え、
前記金属製のシャーシのシャフト支持部は、前記シャフトの絶縁部材を支持するように形成され、
前記調整ネジは、前記シャフトの絶縁部材に当接するように前記金属製のシャーシに取り付けられ、
前記金属製の押圧部材は、前記シャフトの絶縁部材に当接するように前記金属製のシャーシに取り付けられている、請求項３〜５に記載のディスク装置。
【発明の詳細な説明】
【０００１】
【発明の属する技術分野】
この発明は、ディスク装置に関し、特に、光ピックアップのディスクに対する傾き角度を調整するためのチルト機構を備えたディスク装置に関する。
【０００２】
【従来の技術】
従来、光ピックアップのディスクに対する傾き角度を調整するためのチルト機構を備えた種々のディスク装置が知られている（たとえば、特許文献１、特許文献２および特許文献３参照）。
【０００３】
上記特許文献１に開示されたディスク装置では、複数のギアを用いて、光ピックアップを支持するピックガイド手段を所定の軸を中心として傾けることにより光ピックアップのディスクに対する傾き角度を調整するチルト機構を備えている。
【０００４】
また、上記特許文献２に開示されたディスク装置は、複数のギアを用いて、光ピックアップを支持するガイド軸の一方端を支点として、他方端を上下に移動させることにより光ピックアップのディスクに対する傾き角度を調整するチルト機構を備えている。
【０００５】
また、上記特許文献３に開示されたディスク装置は、複数のギアを用いて、光ピックアップを支持する主軸および副軸の一方端側が取り付けられた支持ブロックを主軸および副軸の他方端側を支点として上下に移動させることにより光ピックアップのディスクに対する傾き角度を調整するチルト機構を備えている。
【０００６】
図５は、従来の一例によるチルト機構を備えたディスク装置のディスク駆動部を示した上面図である。図６は、図５に示した従来の一例によるディスク装置のディスク駆動部の図５中の矢印１５０方向から見た側面図である。図７は、図５に示した従来のディスク駆動部の可動シャーシの下面図である。
【０００７】
図５および図６を参照して、従来の一例によるディスク装置のディスク駆動部では、最下部に金属製の板材で形成されたシャーシ１０１が設けられている。このシャーシ１０１には、ディスクを載置して回転させるためのディスクモータ１０２が固定的に取り付けられている。また、シャーシ１０１の上方には、シャーシ１０１と所定の間隔を隔てて、金属製の板材で形成された可動シャーシ１０１ｆが設けられている。この可動シャーシ１０１ｆには、図５および図７に示すように、金属製の第１シャフト１０３ａおよび金属製の第２シャフト１０３ｂが平行に取り付けられている。
【０００８】
また、第１シャフト１０３ａおよび第２シャフト１０３ｂには、光ピックアップ１０４が図５中の矢印Ａ方向（ディスクの半径方向）に移動可能に支持されている。また、可動シャーシ１０１ｆの下面には、図５および図７に示すように、光ピックアップ１０４を移動させるための移動用モータ１０５が取り付けられている。この移動用モータ１０５は、ギアが形成された駆動軸１０５ａを備えている。光ピックアップ１０４は、この移動用モータ１０５の駆動軸１０５ａに係合されている。
【０００９】
また、第１シャフト１０３ａの一方の端部は、図７に示すように、可動シャーシ１０１ｆの下面に設けられた樹脂製のシャフト支持部材１１１に取り付けられている。第１シャフト１０３ａの他方の端部は、可動シャーシ１０１ｆの下面に設けられた樹脂製の第１シャフト固定部材１１２ａに、金属製の固定部材１１３によって固定的に取り付けられている。また、金属製の固定部材１１３は、金属製のネジ１１４によって金属製の可動シャーシ１０１ｆにネジ止めされている。
【００１０】
また、第２シャフト１０３ｂの両端部は、図７に示すように、可動シャーシ１０１ｆの下面に設けられた樹脂製の第２シャフト固定部材１１２ｂに、金属製のワッシャ１１５によって固定的に取り付けられている。また、金属製のワッシャ１１５は、金属製のネジ１１６によって、第２シャフト固定部材１１２ｂとともに金属製の可動シャーシ１０１ｆにネジ止めされている。
【００１１】
また、可動シャーシ１０１ｆの第１シャフト１０３ａが設置された側の端部の下面には、図５〜図７に示すように、半球状の先端部を有する支持突起部材１１７が取り付けられている。また、シャーシ１０１の支持突起部材１１７に対応する位置には、図６に示すように、スリバチ状（球面状）の支持面を有する支持受部材１１８が設けられている。支持突起部材１１７の半球状の先端部は、支持受部材１１８の球面状の支持面に対して接触しながら移動することができるように支持受部材１１８によって支持されている。また、シャーシ１０１には、板バネで形成された押さえ部材１１９が可動シャーシ１０１ｆに取り付けられた支持突起部材１１７を下方に押さえるように取り付けられている。この押さえ部材１１９は、支持突起部材１１７が支持受部材１１８から浮き上がるのを防止するために設けられている。
【００１２】
可動シャーシ１０１ｆの短手方向の第２シャフト１０３ｂが設置された側の端部には、図５に示すように、第１チルト機構１０７ａが設けられている。この第１チルト機構１０７ａは、支持突起部材１１７を支点として可動シャーシ１０１ｆの短手方向の端部が上下に移動する方向（タンジェンシャル方向）に可動シャーシ１０１ｆを傾けるために設けられている。また、第１チルト機構１０７ａは、突起部材１２０ａ、突起受部材１２０ｂ、ホルダ１２０ｃおよび調整ネジ（図示せず）を備えている。
【００１３】
突起部材１２０ａの先端部は、半球状に形成されており、可動シャーシ１０１ｆの下面に下方に突出するように取り付けられている。突起受部材１２０ｂは、突起部材１２０ａを下側から移動可能に支持するように設けられている。ホルダ１２０ｃは、シャーシ１０１に取り付けられるとともに、突起受部材１２０ｂを上下方向に移動可能に支持するように設けられている。調整ネジ（図示せず）は、シャーシ１０１に係合されるとともに、突起受部材１２０ｂの下面に当接するように設けられている。また、調整ネジ（図示せず）は、回すことにより上下方向に移動することが可能なように設けられている。
【００１４】
また、可動シャーシ１０１ｆの第１チルト機構１０７ａの近傍および支持突起部材１１７の近傍には、図５に示すように、フック部材１２１が設けられている。シャーシ１０１のフック部材１２１に対応する位置には、フック部材１２１が係合するフック受部材１２２が設けられている。このフック受部材１２２は、フック部材１２１が所定の遊びをもって係合することが可能な形状に形成されている。フック部材１２１とフック受部材１２２とによって、可動シャーシ１０１ｆとシャーシ１０１との間の距離が所定の距離以上に離れるのが防止される。
【００１５】
また、ディスク駆動部には、図５および図６に示すように、第２チルト機構１０７ｂが設けられている。この第２チルト機構１０７ｂは、支持突起部材１１７および突起部材１２０ａを支点として、可動シャーシ１０１ｆの長手方向の端部が上下に移動する方向（ラジアル方向）に可動シャーシ１０１ｆを傾けるために設けられている。また、第２チルト機構１０７ｂは、チルトモータ１２３ａ、駆動伝達ギア１２３ｂ、中間ギア１２３ｃ、カムギア１２３ｄ、カムギア用突起部材１２３ｅ、および、バネ部材１２３ｆを備えている。チルトモータ１２３ａは、シャーシ１０１に固定的に取り付けられている。駆動伝達ギア１２３ｂは、チルトモータ１２３ａの駆動軸に取り付けられている。中間ギア１２３ｃは、駆動伝達ギア１２３ｂに噛み合わされるとともに、カムギア１２３ｄに噛み合わされている。カムギア１２３ｄの上面には、図６に示すように、所定の斜面形状を有するカム部１２３ｇが形成されている。カムギア用突起部材１２３ｅは、可動シャーシ１０１ｆの下面に取り付けられるとともに、カムギア１２３ｄのカム部１２３ｇに当接するように設けられている。バネ部材１２３ｆは、シャーシ１０１に取り付けられるとともに、カムギア用突起部材１２３ｅをカムギア１２３ｄのカム部１２３ｇに押圧するように付勢している。
【００１６】
次に、図５を参照して、従来の一例によるディスク装置のディスク駆動部の第１チルト機構１０７ａの動作としては、まず、突起部材１２０ａの下面に当接する調整ネジ（図示せず）を回す。これにより、調整ネジ（図示せず）が上下方向のどちらかに移動されるので、それに伴って、突起受部材１２０ｂが上下方向のどちらかに移動される。これに伴って、突起受部材１２０ｂに支持される突起部材１２０ａも上下方向に移動されるので、突起部材１２０ａが設けられた可動シャーシ１０１ｆの端部は上下方向に移動される。これにより、可動シャーシ１０１ｆは、支持突起部材１１７を支点として上下方向（タンジェンシャル方向）に傾けられる。
【００１７】
また、図５および図６を参照して、ディスク駆動部の第２チルト機構１０７ｂの動作としては、チルトモータ１２３ａの駆動が駆動伝達ギア１２３ｂおよび中間ギア１２３ｃを介してカムギア１２３ｄに伝達されることにより、カムギア１２３ｄが回転される。カムギア１２３ｄが回転されると、カムギア１２３ｄのカム部１２３ｇの斜面形状に沿ってカムギア用突起部材１２３ｅは上下方向に移動される。これにより、カムギア用突起部材１２３ｅが設けられた可動シャーシ１０１ｆは、支持突起部材１１７および突起部材１２０ａを支点として上下方向（ラジアル方向）に傾けられる。
【００１８】
【特許文献１】
特開平９−６９２３５号公報
【特許文献２】
特開２０００−１３２８４２号公報
【特許文献３】
特開２００２−１００１２９号公報
【発明が解決しようとする課題】
しかしながら、図５に示した従来の一例によるディスク装置のディスク駆動部では、光ピックアップ１０４の傾き角度を調整するために設けられた第１チルト機構１０７ａおよび第２チルト機構１０７ｂは、多数の部品によって構成されているという不都合があった。これにより、チルト機構が複雑になるという問題点があった。
【００１９】
また、上記特許文献１〜３に開示されたディスク装置のチルト機構でも、複数のギアなどの多数の部品が必要となるという不都合があった。これにより、図５に示した従来の一例によるディスク装置のディスク駆動部と同様にチルト機構が複雑になるという問題点があった。
【００２０】
この発明は、上記のような課題を解決するためになされたものであり、この発明の１つの目的は、簡素なチルト機構を備えたディスク装置を提供することである。
【００２１】
【課題を解決するための手段および発明の効果】
上記目的を達成するために、この発明の第１の局面におけるディスク装置では、シャーシと、シャーシに取り付けられ、ディスクを回転させるためのディスクモータと、ディスクと所定の距離を隔てて配置され、ディスクの半径方向に移動される光ピックアップと、光ピックアップを移動可能に支持するシャフトと、光ピックアップのディスクに対する傾き角度を調整するためのチルト機構とを備えたディスク装置において、シャーシは、穴部を含み、  チルト機構は、シャーシに一体的に設けられ、シャフトの周面の少なくとも一方の端部を挟むように配置されるとともに、シャフトの端部を上下方向に移動可能に支持する一対のシャフト支持部と、シャフトの端部の下面に当接するようにシャーシに取り付けられ、シャフトの端部を上下方向に移動させるための調整ネジと、シャーシの穴部に挿入され、シャーシの穴部の幅よりも大きな幅を有するように形成された実質的にリング形状の抜け止め部を有するとともに、シャフトの端部の上面に当接するようにシャーシに取り付けられ、シャフトの端部を調整ネジに対して押圧するように付勢するねじりコイルバネと、シャーシに一体的に設けられ、ねじりコイルバネを支持するねじりコイルバネ支持部とを含む。
【００２２】
この発明の第１の局面によるディスク装置では、上記のように、チルト機構を、シャーシに一体的に設けられたシャフト支持部、調整ネジ、ねじりコイルバネおよびシャーシに一体的に設けられたねじりコイルバネ支持部で構成することによって、従来のチルト機構よりも少数の部品でチルト機構を構成することができる。これにより、従来のチルト機構と比べて、簡素なチルト機構を得ることができる。また、ねじりコイルバネに、シャーシの穴部に挿入されるとともに、シャーシの穴部の幅よりも大きな幅を有する抜け止め部を形成することによって、ねじりコイルバネに対して外力が与えられた場合に抜け止め部がシャーシの穴部から抜け出るのを防止することができる。これにより、衝撃などの外力がシャフトを介してねじりコイルバネに与えられた場合にも、ねじりコイルバネがシャーシから外れるのを抑制することができる。その結果、衝撃などの外力が与えられた場合に、ねじりコイルバネに押圧されるシャフトがシャーシから外れるのを抑制することができる。
【００２３】
この発明の第２の局面におけるディスク装置では、金属製のシャーシと、シャーシに取り付けられ、ディスクを回転させるためのディスクモータと、ディスクと所定の距離を隔てて配置され、ディスクの半径方向に移動される光ピックアップと、光ピックアップを移動可能に支持する金属製のシャフトと、光ピックアップのディスクに対する傾き角度を調整するためのチルト機構とを備えたディスク装置において、金属製のシャフトの端部を覆うように設けられた絶縁性を有する絶縁部材をさらに備え、シャーシは、穴部を含み、チルト機構は、金属製のシャーシに一体的に設けられ、シャフトの少なくとも一方の端部の絶縁部材の周面を挟むように配置されるとともに、シャフトの端部を上下方向に移動可能に支持する一対の金属製のシャフト支持部と、金属製のシャフトの絶縁部材の下面に当接するように金属製のシャーシに取り付けられ、シャフトの端部を上下方向に移動させるための金属製の調整ネジと、シャーシの穴部に挿入され、シャーシの穴部の幅よりも大きな幅を有するように形成された実質的にリング形状の抜け止め部を有するとともに、金属製のシャフトの絶縁部材の上面に当接するように金属製のシャーシに取り付けられ、シャフトの絶縁部材を金属製の調整ネジに対して押圧するように付勢する金属製のねじりコイルバネと、金属製のシャーシに一体的に設けられ、金属製のねじりコイルバネを支持するねじりコイルバネ支持部とを含む。
【００２４】
この第２の局面によるディスク装置では、上記のように、チルト機構を、シャーシに一体的に設けられたシャフト支持部、調整ネジ、ねじりコイルバネおよびシャーシに一体的に設けられたねじりコイルバネ支持部で構成することによって、従来のチルト機構よりも少数の部品でチルト機構を構成することができる。これにより、従来のチルト機構と比べて、簡素なチルト機構を得ることができる。また、金属製のシャフトの端部を覆うように絶縁性を有する絶縁部材を設けるとともに、金属製のシャーシのシャフト支持部をシャフトの絶縁部材を支持するように形成し、金属製の調整ネジおよび金属製のねじりコイルバネをシャフトの絶縁部材に当接するように金属製のシャーシに取り付けることによって、金属製の調整ネジ、ねじりコイルバネおよびシャーシと、金属製のシャフトとの間が絶縁部材により電気的に絶縁されるので、電気的なノイズが金属製のシャーシ、金属製の調整ネジおよび金属製のねじりコイルバネを介して、金属製のシャフトに伝達されるのを抑制することができる。これにより、金属製のシャフトに支持される光ピックアップへの電気的なノイズの伝達を抑制することが可能となる。また、ねじりコイルバネに、シャーシの穴部に挿入されるとともに、シャーシの穴部の幅よりも大きな幅を有する抜け止め部を形成することによって、ねじりコイルバネに対して外力が与えられた場合に抜け止め部がシャーシの穴部から抜け出るのを防止することができる。これにより、衝撃などの外力がシャフトを介してねじりコイルバネに与えられた場合にも、ねじりコイルバネがシャーシから外れるのを抑制することができる。その結果、衝撃などの外力が与えられた場合に、ねじりコイルバネに押圧されるシャフトがシャーシから外れるのを抑制することができる。
【００２５】
この発明の第３の局面におけるディスク装置は、シャーシと、光ピックアップを移動可能に支持するシャフトと、光ピックアップのディスクに対する傾き角度を調整するためのチルト機構とを備え、チルト機構は、シャーシに一体的に設けられ、シャフトを上下方向に移動可能に支持するシャフト支持部と、シャフトを上下方向に移動させるための調整ネジと、シャフトを調整ネジに対して押圧するための押圧部材と、シャーシに一体的に設けられ、押圧部材を支持する押圧部材支持部とを含む。
【００２６】
この第３の局面によるディスク装置では、上記のように、チルト機構を、シャーシに一体的に設けられたシャフト支持部、調整ネジ、押圧部材およびシャーシに一体的に設けられた押圧部材支持部で構成することによって、従来のチルト機構よりも少数の部品でチルト機構を構成することができる。これにより、従来のチルト機構と比べて、簡素なチルト機構を得ることができる。
【００２７】
上記第３の局面によるディスク装置において、好ましくは、押圧部材は、ねじりコイルバネを含む。このように構成すれば、容易に、シャフトを調整ネジに対して押圧するように付勢しながら、シャフトを上下方向に移動させることができる。
【００２８】
この場合において、好ましくは、シャーシは、穴部を含み、ねじりコイルバネは、シャーシの穴部に挿入され、シャーシの穴部の幅よりも大きな幅を有するように形成された抜け止め部を含む。このように構成すれば、ねじりコイルバネに対して外力が与えられた場合に抜け止め部がシャーシの穴部から抜け出るのを防止することができる。これにより、衝撃などの外力がシャフトを介してねじりコイルバネに与えられた場合にも、ねじりコイルバネがシャーシから外れるのを抑制することができる。その結果、衝撃などの外力が与えられた場合に、ねじりコイルバネに押圧されるシャフトがシャーシから外れるのを抑制することができる。
【００２９】
上記第３の局面によるディスク装置において、好ましくは、シャーシ、シャフトおよび押圧部材は、金属製であり、金属製のシャフトの端部を覆うように設けられた絶縁性を有する絶縁部材をさらに備え、金属製のシャーシのシャフト支持部は、シャフトの絶縁部材を支持するように形成され、調整ネジは、シャフトの絶縁部材に当接するように金属製のシャーシに取り付けられ、金属製の押圧部材は、シャフトの絶縁部材に当接するように金属製のシャーシに取り付けられている。このように構成すれば、金属製のねじりコイルバネおよびシャーシと、金属製のシャフトとの間が絶縁部材により電気的に絶縁されるので、電気的なノイズが金属製のシャーシおよび金属製の押圧部材を介して、金属製のシャフトに伝達されるのを抑制することができる。これにより、金属製のシャフトに支持される光ピックアップへの電気的なノイズの伝達を抑制することが可能となる。
【００３０】
【発明の実施の形態】
以下、本発明の実施の形態を図面に基づいて説明する。
【００３１】
（第１実施形態）
図１は、本発明の第１実施形態によるディスク装置のディスク駆動部を示した上面図である。図２は、図１に示した第１実施形態によるディスク駆動部の図１中の５０−５０線に沿った断面図である。図３は、図１に示した第１実施形態によるディスク駆動部の図１中の６０−６０線に沿った断面図である。図１〜図３を参照して、本発明の第１実施形態によるディスク装置のディスク駆動部の構造について説明する。
【００３２】
第１実施形態によるディスク装置のディスク駆動部では、図１に示すように、金属製の板材で形成されたシャーシ１が設けられている。このシャーシ１には、ディスクを載置して回転させるためのディスクモータ２が固定的に取り付けられている。また、シャーシ１には、２つの金属製のシャフト３が平行に取り付けられている。この２つのシャフト３には、光ピックアップ４が図１中の矢印Ａ方向（ディスクの半径方向）に移動可能に支持されている。また、シャーシ１には、光ピックアップ４を移動させるための移動用モータ５が取り付けられている。この移動用モータ５は、ギアが形成された駆動軸５ａを備えている。光ピックアップ４は、この移動用モータ５の駆動軸５ａに係合されている。
【００３３】
また、シャーシ１のシャフト３の端面に対応する位置には、シャーシ１の一部を曲げ起こすことにより、抜け止め壁１ａが設けられている。この抜け止め壁１ａはシャーシ１に取り付けられたシャフト３が、図１中の矢印Ａ方向に抜け出るのを防止するために設けられている。また、２つのシャフト３のうち移動用モータ５側に設けられたシャフト３の一方の端部は、皿ネジ６および支持部１ｂによって、シャーシ１に取り付けられている。すなわち、このシャフト３の一方の端部は、図２に示すように、シャーシ１にネジ止めされる皿ネジ６のネジ頭、シャーシ１の一部を曲げ起こすことにより形成された支持部１ｂおよびシャーシ１の上面により３点で支持されている。また、２つのシャフト３の残りの３つの端部に対応する位置には、図１に示すように、３つのチルト機構７が設けられている。
【００３４】
ここで、第１実施形態では、図１に示すように、チルト機構７は、一対のシャフト支持部１ｃ、調整ネジ８、ねじりコイルバネ９およびねじりコイルバネ支持部１ｄによって構成されている。なお、ねじりコイルバネ９は、本発明の「押圧部材」の一例である。また、ねじりコイルバネ支持部１ｄは、本発明の「押圧部材支持部」の一例である。
【００３５】
一対のシャフト支持部１ｃは、図３に示すように、シャーシ１の一部を曲げ起こすことにより、シャーシ１に一体的に設けられている。また、シャフト支持部１ｃは、シャフト３の端部の周面を両側から挟むように設置されている。これにより、シャフト支持部１ｃは、シャフト３の端部を上下方向に移動可能に支持している。
【００３６】
また、調整ネジ８は、シャフト３の端部の下面に当接するように、シャーシ１に上下方向に移動可能に取り付けられている。この調整ネジ８の下面には、六角レンチを挿入して調整ネジ８を回すための六角レンチ用穴部８ａが形成されている。調整ネジ８は、シャフト３の端部を上下方向に移動させるために設けられている。
【００３７】
ねじりコイルバネ９は、シャフト３の端部の上面に当接するように、シャーシ１に取り付けられている。また、ねじりコイルバネ９は、約０．６ｍｍ〜約１．０ｍｍの直径を有するピアノ線などにより３巻き〜４巻き程度の巻数を有するように形成されてる。このねじりコイルバネ９は、シャフト３の端部を調整ネジ８に対して押圧するように付勢している。
【００３８】
ここで、第１実施形態では、図３に示すように、ねじりコイルバネ９の一方の端部に実質的にリング形状を有する抜け止め部９ａが一体的に形成されている。このねじりコイルバネ９の抜け止め部９ａは、シャーシ１に設けられた穴部１ｅに挿入されている。また、抜け止め部９ａは、シャーシ１の穴部１ｅの幅よりも大きな幅を有するように形成されている。これにより、抜け止め部９ａが上方向へ移動されるような外力がねじりコイルバネ９に与えられた場合に、抜け止め部９ａがシャーシ１の穴部１ｅから抜け出るのが防止される。また、抜け止め部９ａとシャーシ１の下面との間には、約１ｍｍの間隔が設けられている。
【００３９】
また、ねじりコイルバネ支持部１ｄは、シャーシ１の一部を曲げ起こすことにより、シャーシ１に一体的に設けられている。このねじりコイルバネ支持部１ｄは、ねじりコイルバネ９がシャーシ１から脱落しないように支持している。
【００４０】
次に、図３を参照して、本発明の第１実施形態によるディスク装置のディスク駆動部のチルト機構の動作について説明する。
【００４１】
図３を参照して、本発明の第１実施形態によるディスク装置のディスク駆動部のチルト機構の動作としては、まず、調整ネジ８が上方向または下方向に移動するように調整ネジ８を回す。調整ネジ８が上方向に移動するように調整ネジ８を回した場合には、調整ネジ８がシャフト３の端部の下面を押し上げることにより、シャフト３の端部は上方向に移動される。この際、シャフト３の端部は、ねじりコイルバネ９を弾性変形させながら上方向に移動される。そして、シャフト３の端部が上方向に所定の距離移動されると、ねじりコイルバネ９の抜け止め部９ａがシャーシ１の下面に当接されることにより抜け止め部９ａがそれ以上上方向へ移動するのが防止される。これにより、シャフト３の端部が、それ以上上方向へ移動するのが防止される。
【００４２】
また、下方向に移動するように調整ネジ８を回した場合には、シャフト３の端部はねじりコイルバネ９によって調整ネジ８に押圧するように付勢されているので、調整ネジ８が下方向に移動するのに伴って下方向に移動される。以上のようにして、ディスク駆動部に設けられた３つのチルト機構７をそれぞれ動作させることによって、シャフト３の端部の上下方向の位置が調整される。これにより、シャフト３の傾き角度が調整される。また、シャーシ１のディスクモータ２と反対側に設けられた２つのチルト機構７を動作させることによって、２つのシャフト３のディスクモータ２側の一方端を支点として、シャフト３の他方端を上下に移動させる方向（ラジアル方向）にシャフト３を傾けることができる。これにより、光ピックアップ４のディスクに対するラジアル方向の傾き角度を調整することができる。また、移動用モータ５と反対側のシャフト３の両端部の２つのチルト機構７を動作させることによって、移動用モータ５側のシャフト３を軸として、移動用モータ５と反対側のシャフト３を上下に移動させる方向（タンジェンシャル方向）に光ピックアップ４を傾けることができる。これにより、光ピックアップ４のディスクに対するタンジェンシャル方向の傾き角度を調整することができる。
【００４３】
第１実施形態では、上記のように、チルト機構７を、シャーシ１に一体的に設けられたシャフト支持部１ｃ、調整ネジ８、ねじりコイルバネ９およびシャーシ１に一体的に設けられたねじりコイルバネ支持部１ｄで構成することによって、従来のチルト機構よりも少数の部品でチルト機構を構成することができる。これにより、従来のチルト機構と比べて、簡素なチルト機構を得ることができる。
【００４４】
また、第１実施形態では、ねじりコイルバネ９に、シャーシ１の穴部１ｅに挿入されるとともに、シャーシ１の穴部１ｅの幅よりも大きな幅を有する抜け止め部９ａを形成することによって、ねじりコイルバネ９に対して外力が与えられた場合に抜け止め部９ａがシャーシ１の穴部１ｅから抜け出るのを防止することができる。これにより、衝撃などの外力がシャフト３を介してねじりコイルバネ９に与えられた場合にも、ねじりコイルバネ９がシャーシ１から外れるのを抑制することができる。その結果、衝撃などの外力が与えられた場合に、ねじりコイルバネ９に押圧されるシャフト３がシャーシ１から外れるのを抑制することができる。
【００４５】
（第２実施形態）
図４は、本発明の第２実施形態によるディスク装置のディスク駆動部のチルト機構部分を示した拡大上面図である。図４を参照して、この第２実施形態では、上記した第１実施形態と異なり、シャフト３の端部を覆うように絶縁部材１０を設けた例について説明する。なお、第２実施形態の絶縁部材１０以外の部分の構成は、第１実施形態と同様である。
【００４６】
すなわち、第２実施形態では、図４に示すように、シャフト３の端部を覆うようにキャップ状の絶縁部材１０が設けられている。この絶縁部材１０は、絶縁性の樹脂を用いて約０．５ｍｍの肉厚を有するように形成されている。また、絶縁部材１０の天面には、シャフト３を挿入しやすくするために空気抜きのための穴部１０ａが設けられている。また、絶縁部材１０の周面には、ねじりコイルバネ９に用いられたピアノ線などの直径の約１．５倍〜約２倍の幅を有する溝部１０ｂが形成されている。
【００４７】
また、金属製のシャーシ１の一対のシャフト支持部１ｃは、絶縁部材１０の周面を両側から挟むように設置されている。また、シャフト３は、絶縁部材１０を介してシャーシ１に当接している。また、金属製の調整ネジ８は、絶縁部材１０の下面に当接するように、金属製のシャーシ１に取り付けられている。また、金属製のねじりコイルバネ９は、絶縁部材１０の上面の溝部１０ｂに当接するように金属製のシャーシ１に取り付けられている。なお、図示しないが、シャーシ１の移動用モータ５側に設けられたシャフト３の皿ネジ６、シャーシ１の支持部１ｂおよびシャーシ１の上面で支持された端部にも同様の絶縁部材１０が覆うように設けられている。
【００４８】
第２実施形態では、上記のように、金属製のシャフト３の端部を覆うように絶縁性を有する絶縁部材１０を設けるとともに、金属製のシャーシ１のシャフト支持部１ｃをシャフト３の絶縁部材１０を支持するように形成し、金属製の調整ネジ８および金属製のねじりコイルバネ９をシャフト３の絶縁部材１０に当接するように金属製のシャーシ１に取り付けることによって、移動用モータ５などから生じる電気的なノイズが金属製のシャーシ１、金属製の調整ネジ８および金属製のねじりコイルバネ９を介して、金属製のシャフト３に伝達されるのを抑制することができる。これにより、金属製のシャフト３に支持される光ピックアップ４への電気的なノイズの伝達を抑制することが可能となる。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、第１実施形態および第２実施形態では、シャフト３の端部およびシャフト３の端部に設けられた絶縁部材１０を調整ネジ８に対して押圧するための押圧部材として、ねじりコイルバネ９を用いたが、本発明はこれに限らず、ねじりコイルバネ以外の弾性を有するバネ部材を用いても良い。また、弾性を有しない押圧部材であっても良い。
【図面の簡単な説明】
【図１】本発明の第１実施形態によるディスク装置のディスク駆動部を示した上面図である。
【図２】図１に示した第１実施形態によるディスク駆動部の図１中の５０−５０線に沿った断面図である。
【図３】図１に示した第１実施形態によるディスク駆動部の図１中の６０−６０線に沿った断面図である。
【図４】本発明の第２実施形態によるディスク装置のディスク駆動部のチルト機構部分を示した拡大上面図である。
【図５】従来の一例によるチルト機構を備えたディスク装置のディスク駆動部を示した上面図である。
【図６】図５に示した従来の一例によるディスク装置のディスク駆動部の図５中の矢印１５０方向から見た側面図である。
【図７】図５に示した従来のディスク駆動部の可動シャーシの下面図である。
【符号の説明】
１  シャーシ
１ｃ  シャフト支持部
１ｄ  ねじりコイルバネ支持部（押圧部材支持部）
１ｅ  穴部
２  ディスクモータ
３  シャフト
４  光ピックアップ
７  チルト機構
８  調整ネジ
９  ねじりコイルバネ（押圧部材）
９ａ  抜け止め部
【図１】
2004288324.tif 000003
【図２】
2004288324.tif 000004
【図３】
2004288324.tif 000005
【図４】
2004288324.tif 000006
【図５】
2004288324.tif 000007
【図６】
2004288324.tif 000008
【図７】
2004288324.tif 000009